(57)【要約】  【課題】互いに異なる２つの機能や触感を有し、使い勝手がよく、しかも一度の編成工程だけで形成することができる浴用ボディタオルを提供することを目的とする。  【解決手段】経編機により編成され、タオル本体２の一方の面に、このタオル本体２の全長に亘り、相互に編組織が異なる第１領域３と第２領域４とがこのタオル本体２の幅方向に隣接して設けられた浴用ボディタオル１である。  【選択図】図１
0003188752.tif 000002
【実用新案登録請求の範囲】
【請求項１】
経編機により編成され、タオル本体の一方の面に、このタオル本体の全長に亘り、相互に編組織が異なる第１領域と第２領域とがこのタオル本体の幅方向に隣接して設けられたことを特徴とする浴用ボディタオル。
【考案の詳細な説明】
【技術分野】
【０００１】
本考案は、互いに異なる２つの機能や触感を有する浴用ボディタオルに関する。
【背景技術】
【０００２】
浴用ボディタオルとして、例えば垢すりと拭き取りといった異なる２つの機能を備えたものや、使用者の肌に相互に異なる２種類の触感を選択的に与え得るものがこれまで種々提案されている。
【０００３】
例えば、特許文献１及び２には、表裏２枚のラッセル編地よりなり、表側の編地に細条スポンジを挿入した浴用ボディタオルが提案されている。この浴用ボディタオルにあっては、空隙性が大きく、泡立ち性に優れ、しかも肌触りが柔らかいと共に、表側に挿入された細条スポンジにより泡立ち性並びに泡持ち性がよく、皮膚に優しく接して触感もよく、浴用スポンジタオルとして極めて効果的である、とされている。
【０００４】
また、特許文献３には、タオルの片面にナイロン等の繊維で作った布状の垢擦りを重ねて縫製し、一体化させるか、または、タオルと垢擦りとをつなぎ合わせた垢擦り付き浴用タオルが提案されている。この浴用タオルにあっては、タオルの効用と垢擦り効用とを一本のタオルに兼備させているから、タオルと垢擦り地との組み合わせ方によって、二つの効用割合の他、使い易さや皮膚の安全に配慮して、タオルと垢擦りの大きさやその形状、または垢擦り地の硬さなどを変えて作ることができる、とされている。
【０００５】
また、特許文献４には、タオルの中央に糸質、または織り方を変えた垢擦り部分を設け、摩擦を感じるように織り、拭き取り部分は水分を吸収しやすいように織った垢擦り付き入浴用タオルが提案されている。この垢擦り付き入浴用タオルにあっては、別に垢すり用のタオルを用意する必要もなく一本のタオルで二つの役目を果たし便利で経済的である、とされている。
【先行技術文献】
【特許文献】
【０００６】
【特許文献１】特開２００８−３６０６２号公報
【特許文献２】実用新案登録第３１３９７５８号公報
【特許文献３】実開平７−２４１９４号公報
【特許文献４】実用新案登録第３０８０９２２号公報
【考案の概要】
【考案が解決しようとする課題】
【０００７】
特許文献１や２に開示された浴用ボディタオルにあっては、表側と裏側とで機能や触感を異ならせているため、特に、タオルの両端を持って背中を洗う際、タオルを広げたままでは使いづらいことから、半幅に折り畳まざるを得ない。このため、機能や触感を切り替えて使いたい場合には、一旦広げてから今度は反対側に折り畳む手間が必要であるといった不都合があった。
【０００８】
一方、特許文献３や４に開示された垢擦り付き浴用タオルにあっては、垢擦りがタオルの中央に設けられているため、特に、タオルの両端を持って背中を洗う際、垢擦りの機能は使用できるものの、拭き取り部分だけを使用することはできず、使い勝手が悪いといった不都合があった。また、垢擦りがタオルの一方の面だけに設けられている場合は、特許文献１や２に開示された浴用ボディタオルと同様、半幅に折り畳まざるを得ないため、機能や触感を切り替えて使いたい場合には、一旦広げてから今度は反対側に折り畳む手間が必要であるといった不都合があった。
【０００９】
このように、特許文献１〜４に開示された浴用ボディタオルにあっては、いずれも使い勝手が悪いものであった。
【００１０】
本考案は、係る点に鑑みて創案されたものであり、その目的とするところは、互いに異なる２つの機能や触感を有し、使い勝手がよく、しかも一度の編成工程だけで形成することができる浴用ボディタオルを提供することを目的とする。
【課題を解決するための手段】
【００１１】
上記した目的を達成するため、本考案に係る浴用ボディタオルは、経編機により編成され、タオル本体の一方の面に、このタオル本体の全長に亘り、相互に編組織が異なる第１領域と第２領域とがこのタオル本体の幅方向に隣接して設けられたことを特徴とするものである。
【００１２】
このような特定事項によれば、第１領域と第２領域とがともに外面となるようにそれら両領域の境界線に沿ってタオル本体を折り畳むことにより、異なる編組織が背中合わせになるので、タオル本体を上記のように折り畳んだ状態で前記境界線周りに反転させるだけで、所望の編組織を選択することができる。また、第１領域と第２領域とで編組織が異なるので、いずれか一方の編組織に意匠撚糸を使用すれば、デザイン面でアクセントの効いたものとすることができ、購買者の関心を惹くことができる。
【考案の効果】
【００１３】
本考案によれば、互いに異なる２つの機能や触感を有し、使い勝手がよく、しかも一度の編成工程だけで形成することができる浴用ボディタオルを提供することができる。
【図面の簡単な説明】
【００１４】
【図１】図１は、本考案に係る浴用ボディタオルの一実施形態を示す斜視図である。
【図２】図２は、図１に示す浴用ボディタオルの編組織の一例を示す図であり、第１領域と第２領域の境界部分を示している。
【図３】図３は、図１に示す浴用ボディタオルの編組織の分解図であり、各編組織を上下方向に並記している。
【図４】図４は、第１柄糸の編組織を示す図である。
【図５】図５は、第２柄糸の編組織を示す図である。
【考案を実施するための形態】
【００１５】
以下、本考案に係るフリル付タオルの一実施形態について、図面を参照して説明する。
【００１６】
図１〜図５に本考案の一実施形態を示す。図１は、本実施形態に係る浴用ボディタオルを示す斜視図、図２は、その編組織の一例を示す図、図３は、その編組織の分解図、図４は、第１柄糸の編組織を示す図、図５は、第２柄糸の編組織を示す図である。
【００１７】
この浴用ボディタオル１は、図１に示すように、タオル本体２の一方の面に、このタオル本体２の全長に亘り、相互に編組織が異なる第１領域３と第２領域４とがこのタオル本体２の幅方向に隣接して設けられたものである。
【００１８】
ここで、第１領域３は、例えば、肌触りの柔らかいパイル地の拭き取り部とされる一方、第２領域４は、例えば、肌触りがやや硬い垢擦り部とされ、１枚のタオルに、互いに異なる２つの機能（拭き取りと垢擦り）が付与されている。なお、第１領域３と第２領域４とは、上記したように、相互に機能が相違するか、或いは、相互に触感が異なっておればよく、その組み合わせ方は任意である。
【００１９】
また、図示例では、第１領域３と第２領域４とは、それぞれタオル本体２の幅寸法の略２分の１ずつとされているが、このような配分に限らず、いずれか一方の領域３（４）を他方よりも幅広く設定してもよい。
【００２０】
この浴用ボディタオル１は、例えば、ラッセル編機などの経編機により編成される。
【００２１】
このようになる浴用ボディタオル１にあっては、第１領域３と第２領域４とがともに外面となるようにそれら両領域３，４の境界線（図１において破線で示す）に沿ってタオル本体２を折り畳むことにより、異なる編組織３，４が背中合わせになるので、タオル本体２を上記のように折り畳んだ状態で境界線周りに反転させるだけで、所望の編組織３（４）を選択することができる。また、第１領域３と第２領域４とで編組織が異なるので、いずれか一方の編組織３（４）に意匠撚糸を使用すれば、デザイン面でアクセントの効いたものとすることができ、購買者の関心を惹くことができる。
【００２２】
上記説明した浴用ボディタオル１の編組織は、その一例として、図２〜図５に示すような構成となっている。すなわち、タオル本体２は、ウエール方向に並列して延びる鎖編目列５に対して、コース方向に複数列離れた鎖編目列５との間にわたり緯挿入糸６がジグザグ状に折り返し挿入されることにより編成された経編基布である。第１領域３では、経編基布の鎖編目列５に対し、第１柄糸７がコース方向に１列離れた鎖編目列５との間にわたりジグザグ状に繰り返し且つ閉じ目７ａと開き目７ｂとを交互にして挿入されることにより編成されている。一方、第２領域４では、経編基布の鎖編目列５に対し、第２柄糸８が複数ウエールを単位として複数編目毎に横振り挿入されることにより編成されている。経編機においては、経編基布を編成する２つの筬の間に第２柄糸８による挿入組織（第２領域）を編成する筬を配し、経編基布を編成する２つの筬よりも手前に第１柄糸７による挿入組織（第１領域）を編成する筬を配することで、１度の編成工程で上記の浴用ボディタオルを得ることができる。
【００２３】
上記経編基布の鎖編目列５を構成する経糸、及び、経編基布の緯挿入糸６としては、例えば、綿糸、ポリアミド糸、ポリエステル糸、アクリル糸、ポリプロピレン糸などを用いることができる。
【００２４】
また、第１領域３における第１柄糸７としては、例えば、綿糸、ポリアミド糸、ポリエステル糸、アクリル糸、ポリプロピレン糸、麻糸、絹糸を用いることができる。
【００２５】
また、第２領域４における第２柄糸８としては、上記した第１柄糸７と同様、例えば、綿糸、ポリアミド糸、ポリエステル糸、アクリル糸、ポリプロピレン糸、麻糸、絹糸を用いることができる。
【符号の説明】
【００２６】
１  浴用ボディタオル
２  タオル本体
３  第１領域
４  第２領域
５  鎖編目列（経編基布）
６  緯挿入糸（経編基布）
７  第１柄糸
８  第２柄糸
【図１】
0003188752.tif 000003
【図２】
0003188752.tif 000004
【図３】
0003188752.tif 000005
【図４】
0003188752.tif 000006
【図５】
0003188752.tif 000007